(57)【特許請求の範囲】
【請求項１】
回転と軸方向の移動が可能に支持部材に保持され、軸方向の外面に互いに対向して設けられた一対の平坦面で形成される回転伝達面を設けた非円形部を有する操作軸と、前記非円形部が軸方向に移動可能に挿通される非円形孔を有する回転伝達部材と、この回転伝達部材によって回転され、中央部に前記非円形部を遊嵌状態で挿通する貫通孔を有する回転体と、この回転体によって操作される回転型電気部品と、前記貫通孔に挿通された前記操作軸の軸方向の移動によって操作されるスイッチとを備え、前記回転伝達部材の前記非円形孔内には、前記操作軸の前記一対の平坦面とそれぞれ当接する互いに対向した一対の平坦面が設けられ、前記回転伝達部材と前記回転体とには、互いに凹凸係合を行う係合部を設け、前記係合部が前記操作軸の回転中心を通る前記回転伝達面と直交する線の位置に前記操作軸を挟んで２箇所設けられ、前記回転伝達部材の係合部と前記回転体の係合部は、前記操作軸の前記回転伝達面と直交する線方向には遊びのある状態で係合し、前記回転伝達面と平行な線方向においては互いに遊びのない状態で係合しており、前記操作軸の回転動作時、前記回転伝達部材を介して前記係合部によって前記回転体を回転するようにしたことを特徴とするスイッチ付回転型電気部品。
【請求項２】
前記回転伝達部材と前記支持部材とで、前記操作軸の回転をストップするストッパーを設けたことを特徴とする請求項１記載のスイッチ付回転型電気部品。
【発明の詳細な説明】
【０００１】
【発明の属する技術分野】
本発明は、回転と軸方向の移動が可能な操作軸を備えたものにおいて好適なスイッチ付回転型電気部品に関する。
【０００２】
【従来の技術】
従来のスイッチ付回転型電気部品は、図２８に示すように、内面に凹凸部３１を設けた軸受け部３２の孔３２ａには、操作軸３３が回転可能に取り付けられ、また、ケース３４には、抵抗体（図示せず）を設けた一対の絶縁基板３５が保持されると共に、この絶縁基板３５には、摺動子３６を取り付けた回転体３７が回転可能に支持され、そして、操作軸３３の平坦面を設けた非円形部３３ａが回転体３７の平坦面を有する非円形孔３７ａに挿通され、操作軸３３の回転により、絶縁基板３５に取り付けられた抵抗体に摺動子３６が摺動して、抵抗値を可変して、回転型電気部品Ｄを操作するようになっている。
【０００３】
また、操作軸３３には、凹凸部３１と係脱を行うクリック用のバネ板３８が取り付けられ、操作軸３３の回転動作にクリック感を与えるクリック機構Ｋが設けられると共に、回転型電気部品Ｄの裏側には、接点部（図示せず）、コイルバネ３９、可動体４０等を備えた軸のプッシュロック機構を有するスイッチＳが積層して配置され、操作軸３３を軸方向に移動することによって、スイッチＳの操作を行うようになっている。
【０００４】
そして、従来のスイッチ付回転型電気部品の動作は、先ず、操作軸３３を回転すると、クリック機構Ｋによってクリック感を得ながら回転体３７が回転すると共に、摺動子３６が抵抗体上を摺動して、回転型電気部品Ｄの操作が行われる。また、操作軸３３を軸方向にコイルバネ３９に抗して押圧すると、可動体４０が移動して接点部の切換を行うと共に操作軸３３がロックされ、そして、操作軸３３に押圧を再度加えると、操作軸３３はコイルバネ３９により元の状態に復帰すると共に、接点部の切換が行われるようになっている。
【０００５】
また、操作軸３３が回転と軸方向の移動を行うようになっている従来のスイッチ付回転型電気部品において、回転体３７は絶縁基板３５によって回転方向の支持が行われ、回転体３７は回転運動が可能である反面、軸方向と直交する方向に動かないように支持されている。
そして、支持部材３２と回転体３７は、その組立後において、孔３２ａと非円形孔３７ａの回転中心位置が加工時のバラツキ、組立時のバラツキ等によって、操作軸３３の軸芯と一致せず、軸芯からずれたものとなる。
【０００６】
このため、操作軸３３を軸方向に移動した時、操作軸３３と回転体３７との間でキシミを生じて、操作性が悪くなる上に、押圧された操作軸３３が戻らない事態を生ずるものであった。
そこで、この問題を解決するために、操作軸３３の非円形部３３ａと回転体３７の非円形孔３７ａとの嵌合度合いを緩くして対応しているが、この場合、操作軸３３と回転体３７との間に比較的大きな遊びがあるため、操作軸３３の回転が回転体３７に即座に伝達されないという問題がある。
【０００７】
【発明が解決しようとする課題】
従来のスイッチ付回転型電気部品においては、操作軸３３と回転体３７との間に比較的大きな遊びがあるため、操作軸３３の回転が回転体３７に即座に伝達されないという問題がある。
【０００８】
そこで、本発明は、操作軸の円滑な移動が可能で、遊びの無い回転伝達ができるスイッチ付回転型電気部品を提供することを目的とする。
【０００９】
【課題を解決するための手段】
上記課題を解決するための第１の解決手段として、回転と軸方向の移動が可能に支持部材に保持され、軸方向の外面に互いに対向して設けられた一対の平坦面で形成される回転伝達面を設けた非円形部を有する操作軸と、前記非円形部が軸方向に移動可能に挿通される非円形孔を有する回転伝達部材と、この回転伝達部材によって回転され、中央部に前記非円形部を遊嵌状態で挿通する貫通孔を有する回転体と、この回転体によって操作される回転型電気部品と、前記貫通孔に挿通された前記操作軸の軸方向の移動によって操作されるスイッチとを備え、前記回転伝達部材の前記非円形孔内には、前記操作軸の前記一対の平坦面とそれぞれ当接する互いに対向した一対の平坦面が設けられ、前記回転伝達部材と前記回転体とには、互いに凹凸係合を行う係合部を設け、前記係合部が前記操作軸の回転中心を通る前記回転伝達面と直交する線の位置に前記操作軸を挟んで２箇所設けられ、前記回転伝達部材の係合部と前記回転体の係合部は、前記操作軸の前記回転伝達面と直交する線方向には遊びのある状態で係合し、前記回転伝達面と平行な線方向においては互いに遊びのない状態で係合しており、前記操作軸の回転動作時、前記回転伝達部材を介して前記係合部によって前記回転体を回転するようにした構成とした。
【００１０】
また、第２の解決手段として、前記回転伝達部材と前記支持部材とで、前記操作軸の回転をストップするストッパーを設けた構成とした。
【００１２】
【発明の実施の形態】
本発明のスイッチ付回転型電気部品を図１〜図２５に基づいて説明すると、図１は本発明のスイッチ付回転型電気部品の要部断面図、図２は本発明のスイッチ付回転型電気部品の要部斜視図、図３は本発明のスイッチ付回転型電気部品に係り、操作軸と回転伝達部材との関係を示す説明図、図４は本発明のスイッチ付回転型電気部品に係り、回転伝達部材と回転体の関係を示す説明図、図５は本発明のスイッチ付回転型電気部品に係り、支持部材にバネ部材を組み合わせた状態を示す下面図、図６は本発明のスイッチ付回転型電気部品に係り、支持部材に駆動体を組み合わせた状態を示す下面図である。
【００１３】
また、図７は本発明のスイッチ付回転型電気部品に係る支持部材の平面図、図８は本発明のスイッチ付回転型電気部品に係る支持部材の側面図、図９は本発明のスイッチ付回転型電気部品に係る支持部材の下面図、図１０は図９の１０−１０線における断面図、図１１は本発明のスイッチ付回転型電気部品に係るバネ部材の平面図、図１２は本発明のスイッチ付回転型電気部品に係るバネ部材の側面図、図１３は本発明のスイッチ付回転型電気部品に係る駆動体の平面図、図１４は本発明のスイッチ付回転型電気部品に係る駆動体の側面図、図１５は本発明のスイッチ付回転型電気部品に係る駆動体の下面図である。
【００１４】
また、図１６は本発明のスイッチ付回転型電気部品に係る回転伝達部材の平面図、図１７は本発明のスイッチ付回転型電気部品に係る回転伝達部材の側面図、図１８は本発明のスイッチ付回転型電気部品に係る回転伝達部材の下面図、図１９は本発明のスイッチ付回転型電気部品に係る回転伝達部材の裏面図、図２０は図１６の２０−２０線における断面図、図２１は本発明のスイッチ付回転型電気部品に係る回転体の平面図、図２２は本発明のスイッチ付回転型電気部品に係る回転体の側面図、図２３は本発明のスイッチ付回転型電気部品に係る回転体の下面図、図２４は図２１の２４−２４線における断面図、図２５は本発明のスイッチ付回転型電気部品に係る絶縁基板の平面図である。
【００１５】
次に、本発明のスイッチ付回転型電気部品の構成を図１〜図２５に基づいて説明すると、亜鉛ダイキャスト、或いは合成樹脂の成型品等からなる軸受け部材等の支持部材１は、図７〜図１０に示すように、平板状の基部１ａと、この基部１ａから外方に突出して形成された孔１ｂを有する筒状部１ｃと、基部１ａの内面側で、孔１ｂの周囲に設けられたリング状の凸部１ｄと、この凸部１ｄの近傍に設けられ、凸部からなるストッパー部１ｅと、基部１ａの内面側で、基部１ａの外周縁の近傍に設けられ、互いに間隔を置いて設けられた一対の挟持部１ｆとを有する。
【００１６】
そして、一対の挟持部１ｆは、基部１ａの同一平面内に設けられた３個の凸部１ｇによって形成されると共に、図９に示すように、孔１ｂの中心Ｚと直交する線Ｙを挟んで互いに間隔を置いて配置されている。
【００１７】
金属材からなる操作軸２は、操作部２ａと、操作部２ａに繋がった円柱状の支持部２ｂと、この支持部２ｂに繋がった非円形部２ｃとを有する。
また、この非円形部２ｃは、軸方向に対向した平坦面２ｄが設けられて、断面が小判形状となすと共に、この平坦面２ｄによって回転伝達面Ｘが形成されている。
そして、この操作軸２は、図１に示すように、非円形部２ｃが支持部材１の孔１ｂに挿通されて、支持部２ｂが筒状部１ｃにより回転と軸方向の移動可能に保持されている。
【００１８】
金属のバネ板からなるバネ部材３は、図１１，図１２に示すように、中心部に孔３ａを有し、若干折り曲げられた環状の板部３ｂと、板部３ｂの外周部において、互いに間隔を置いて設けられた一対の掛け止め部３ｃとを有し、このバネ部材３は、図１，図５に示すように、板部３ｂが支持部材１の基部１ａの内面に載置された状態で、一対の掛け止め部３ｃがそれぞれ一対の挟持部１ｆに掛け止めされて片持ち状に支持され、この掛け止め部３ｃを支点として、孔３ａの反対側に位置する板部３ｂの部分が軸方向に移動可能に支持されている。
【００１９】
合成樹脂の成型品等からなる駆動体４は、図１３〜図１５に示すように、中心部に孔４ａを有する環状の板部４ｂと、板部４ｂの外周部において、互いに間隔を置いて設けられた一対の支持部を構成する掛け止め部４ｃと、この一対の掛け止め部４ｃの間において、板部４ｂの一面である下面からから下方に突出した円弧状面を有する押さえ部４ｄと、この押さえ部４ｄに対して孔４ａを挟んで対向する位置に設けられた一つの突部４ｅとを有する。
【００２０】
そして、突部４ｅと押さえ部４ｄとは、孔４ａの中心を通る線において互いに対向した位置に配置されると共に、駆動体４は、図１，図６に示すように、板部４ｂがバネ部材３の板部３ｂ上に載置された状態で、一対の掛け止め部４ｃがそれぞれ一対の挟持部１ｆに掛け止めされて片持ち状に支持され、この掛け止め部４ｃを支点として、孔４ａの反対側に位置する突部４ｅが軸方向に移動可能に支持されている。
【００２１】
亜鉛ダイキャスト、合成樹脂の成型品等からなる回転伝達部材５は、図１６〜図２０に示すように、円板状の基部５ａと、この基部５ａの中心部に設けられ、平坦面５ｂからなる回転伝達面Ｘを有する小判状の非円形孔５ｃと、この基部５ａの上面である一面側の周縁部に設けられた凸部からなるストッパー部５ｄと、基部５ａの下面である他面側の周縁部に設けられた矩形状の凸部からなる一対の係合部５ｅを有する。
そして、この一対の係合部５ｅは、非円形孔５ｃの中心Ｚと直交する線Ｙ上で、回転伝達面Ｘと直交する位置において、非円形孔５ｃを挟んで互いに対向する位置に設けられている。
【００２２】
また、この回転伝達部材５は、図１に示すように、非円形孔５ｃに操作軸２の非円形部２ｃが挿通された状態で、その一面が支持部材１の凸部１ｄに当接した状態で取り付けられ、回転伝達部材５が操作軸２の溝部（図示せず）に嵌入したワッシャー６によって、抜け止めされると共に、操作軸２もこのワッシャー６によって抜け止めされている。
【００２３】
更に、この回転伝達部材５は、操作軸２の軸方向Ｗに対して操作軸２以外に直角方向での位置規制が無く、このため、図３に示すように、操作軸２の平坦面２ｄと非円形孔５ｃの平坦面５ｂとの全面が当接し、従って、両者の回転伝達面Ｘが遊びの無い状態となり、操作軸２からの回転を回転伝達部材５に遊び無く伝達できると共に、操作軸２を軸方向Ｗに移動した時、操作軸２と回転伝達部材５との間でキシミを生じることなく、操作軸２の移動を行うことができる。
なお、図３に示すように、操作軸２の平坦面２ｄと直交する方向については、操作軸２と非円形孔５ｃは若干のスペースを持って配置されている。
【００２４】
合成樹脂の成型品からなる筺体７は、中央部に孔７ａを有する底壁７ｂと、底壁７ｂから直角に延びる筒状の側壁７ｃと、孔７ａの周辺部に設けられた筒状の受け部７ｄとを有し、この筺体７の底壁７ｂには、複数個の接触片８が埋設されて、接触片８の一端は、筺体７内に突出し、他端は、筺体７外に突出している。そして、この筺体７は、回転伝達部材５等を覆うように支持部材１の下面に配置されている。
【００２５】
合成樹脂の成型品からなる回転体９は、図２１〜図２４に示すように、中心部に円形の貫通孔９ａを有する円板状の板部９ｂと、板部９ｂの上面である一面側の外周部に設けられた凹凸部９ｃと、板部９ｂの上面である一面側において、貫通孔９ａと凹凸部９ｃとの間に設けられた矩形状の凹部からなる一対の係合部９ｄと、板部９ｂの下面である他面側に設けられた円形のへこみ部９ｅと、このへこみ部９ｅの一部に設けられた凸部９ｆとを有する。
そして、この一対の係合部９ｄは、貫通孔９ａを挟んで互いに対向する位置に設けられている。
【００２６】
円板状の絶縁基板１０は、図２５に示すように、中心部に設けられた円形孔１０ａと、外周部に設けられた凹部１０ｂを有すると共に、この絶縁基板１０の一面には、円形孔１０ａの周囲に配置された抵抗体１１と、この抵抗体１１の内外に配置された２個の導電体１２とが設けられている。
そして、この絶縁基板１０は、回転体９の凸部９ｆに凹部１０ｂを合わせた状態で、へこみ部９ｅに収納して取り付けられ、絶縁基板１０が回転体９と共に回転するようになっている。
【００２７】
また、絶縁基板１０を取り付けた回転体９は、図１に示すように、筺体７内に収納され、絶縁基板１０の円形孔１０ａ内に受け部７ｄが位置して、回転体９がこの受け部７ｄを中心として回転できるようにすると共に、接触片８がそれぞれ抵抗体１１と導電体１２に接触して、回転型電気部品Ｄが構成されている。
更に、回転体９が取り付けられた際、回転体９の貫通孔９ａには、操作軸２の非円形部２ｃが遊嵌状態で挿通され、また、駆動体４がバネ部材３によって回転体９に弾圧されて、突部４ｅが凹凸部９ｃに係合すると共に、押さえ部４ｄは、複数の凹凸部９ｃの上面に弾接し、従って、押さえ部４ｄは上下動することなく凹凸部９ｃの上面に弾接され、この状態で、回転体９が筺体７の底壁７ｂに弾圧されている。
【００２８】
更に又、回転体９が取り付けられた際、回転体９の係合部９ｄには、図１，図４に示すように、回転伝達部材５の係合部５ｅが凹凸係合した状態となる。
この時、凸部からなる係合部５ｅと凹部からなる係合部９ｄは、回転伝達面Ｘと直交する線方向には、遊びのある状態で係合した状態となっているが、回転伝達面Ｘと平行な線方向、即ち、回転方向においては、互いに遊びの無い状態で係合した状態となっている。
【００２９】
そして、このように、係合部５ｅと係合部９ｄが回転伝達面Ｘと直交する線方向に遊びを持たすことにより、加工時のバラツキ、組立時のバラツキ等によって、回転体９が受け部７ｄで支持された時の操作軸２の軸心と回転体９の中心のずれが生じたとしても、ストレスが加わることなく両者の係合状態を、確実にするものである。
【００３０】
複数個の固定接点１３，１４が埋設された絶縁基体１５は、筺体７の下面に配置されると共に、絶縁基体１５と操作軸２との間には、内部に可動接点１６を収納した状態で、ゴム材等からなるドーム状の押圧部材１７が配置され、プッシュ型のスイッチＳが構成されている。
また、スイッチＳが筺体７の下面に取り付けられた際、押圧部材１７によって操作軸２が上方に押された状態となっている。
そして、絶縁基体１５，筺体７，及び支持部材１は、取付板１８によって一体化されて、取り付けられている。
【００３１】
次に、本発明のスイッチ付回転型電気部品の動作を説明すると、先ず、操作軸２の操作部２ａを回転して、非円形部２ｃによって回転伝達部材５を回転すると、凹凸係合した係合部５ｅ、９ｄによって、回転体９と絶縁基板１０が回転して、抵抗体１１と導電体１３が接触片８に摺接して、抵抗値が変化して、回転型電気部品Ｄの操作が行われる。
また、この操作軸２の回転時、回転体９の回転によって、バネ部材３によって弾圧された駆動体４の突部４ｅが凹凸部９ｃに係脱して、操作軸２の回転にクリック感を与えて、クリック機構Ｋが構成されている。
【００３２】
更に、駆動体４は、操作軸２を挟んで突部４ｅと対向する押さえ部４ｄが回転体９に弾圧された状態となると共に、この押さえ部４ｄ側に設けられた掛け止め部４ｃ側を支点として、突部４ｅ側が軸方向に移動するようになっている。
そして、操作軸２を回転した時、回転伝達部材５のストッパー部５ｄが支持部材１のストッパー部１ｅに係合して、操作軸２のストッパーを構成している。
【００３３】
また、操作軸２を軸方向Ｗに押圧すると、操作軸２が押圧部材１７を介して可動接点１６を押して、可動接点１６を固定接点１２，１３に接触させて、スイッチＳの接点の切換を行う。
そして、操作軸２の押圧動作を解除すると、操作軸２は押圧部材１７により元の状態に復帰すると共に、可動接点１６も自己復帰して、固定接点１２，１３間の短絡状態が解除される。
この際、操作軸２が回転伝達面Ｘと平行な方向へ仮にセンターずれしたとしても、回転伝達部材５が回転伝達面Ｘと平行に位置が変わるので、操作軸２に横方向のストレスが加わることが無く、回転体９を確実に駆動することができ、また、操作軸２が回転伝達面Ｘと直角方向へ仮にセンターずれしたとしても、回転伝達部材５との間のスペースより操作軸２に横方向のストレスが加わることがない。
また、他の方向へ仮にセンターずれしたとしても、上記の両方の動作が組み合わされて、操作軸２には、横方向のストレスが加わらない。
よって、操作軸２は確実に復帰する。
このようにして、スイッチ付回転型電気部品の操作が行われる。
【００３４】
また、上記実施例以外の操作軸の参考例として、図２６，図２７に操作軸２の参考例を示す。この参考例における操作軸２は、合成樹脂の成型品で構成されており、非円形部２ｃは、軸方向の外面に複数の凸条２ｅが設けられ、この複数の凸条２ｅの頂面を結ぶ面によって回転伝達面Ｘが形成されたものである。そして、凸条２ｅ間に位置する凹部２ｆは、合成樹脂の成型加工後に生じる湯の縮みを予測して設けたものである。また、このような操作軸２も、図２７に示すように、前記実施例と同様に回転伝達部材５の非円形孔５ｃに挿通され、両者の回転伝達面Ｘが接した状態となっている。
【００３５】
また、上記実施例において、回転型電気部品Ｄは可変抵抗器で説明したが、回転型エンコーダ等を用いても良い。
【００３６】
【発明の効果】
本発明のスイッチ付回転型電気部品において、操作軸２の回転動作時、回転伝達部材５を介して係合部５ｅ、９ｄによって回転体９を回転するようにしたため、操作軸２で回転する回転伝達部材５は、軸方向と直交する側の規制が無く、従って、部品加工等のバラツキに関係なく、操作軸２の軸方向の移動に際してキシミが無く、円滑な移動を行うことができる。
また、回転伝達面Ｘと直交する位置において、回転伝達部材５と回転体９に係合部５ｅ、９ｄを設けたため、回転伝達部材５の回転が回転体９に即座に伝達でき、遊びのない回転型電気部品の操作ができる。
【００３７】
また、平坦面２ｄが互いに対向して設けられ、非円形部２ｃの断面を小判形状にしたため、加工が簡単であると共に、非円形部２ｃによる回転伝達部材５への回転伝達を確実にできる。
また、係合部５ｅ、９ｄが２カ所設けられ、この２カ所の係合部５ｅ、９ｄが操作軸２を挟んで配置されたため、回転伝達部材５からの回転体９への回転伝達箇所が複数となり、その回転伝達を確実にできる。
【００３８】
また、係合部５ｅ、９ｄが操作軸２の回転中心を通る回転伝達面Ｘと直交する線Ｙの位置に設けられたため、係合部５ｅ、９ｄの位置を正確に設定できると共に、確実な回転伝達を行うことができる。
また、回転伝達部材５の非円形孔５ｃ内には平坦面５ｂを有し、この平坦面５ｂのほぼ全面に、操作軸２の平坦面２ｄが当接するようにしたため、回転伝達部材５と操作軸２との間における回転伝達面Ｘの接触面が大きくなり、回転伝達を確実にできる。
【００３９】
また、回転伝達部材５と支持部材１とで、操作軸２の回転をストップするストッパーを設けたため、そのストッパー強度を大きくできて、操作軸２の回転力の大きなものにも使用できる。
【図面の簡単な説明】
【図１】本発明のスイッチ付回転型電気部品の要部断面図。
【図２】本発明のスイッチ付回転型電気部品の要部斜視図。
【図３】本発明のスイッチ付回転型電気部品に係り、操作軸と回転伝達部材との関係を示す説明図。
【図４】本発明のスイッチ付回転型電気部品に係り、回転伝達部材と回転体の関係を示す説明図。
【図５】本発明のスイッチ付回転型電気部品に係り、支持部材にバネ部材を組み合わせた状態を示す下面図。
【図６】本発明のスイッチ付回転型電気部品に係り、支持部材に駆動体を組み合わせた状態を示す下面図。
【図７】本発明のスイッチ付回転型電気部品に係る支持部材の平面図。
【図８】本発明のスイッチ付回転型電気部品に係る支持部材の側面図。
【図９】本発明のスイッチ付回転型電気部品に係る支持部材の下面図。
【図１０】図９の１０−１０線における断面図。
【図１１】本発明のスイッチ付回転型電気部品に係るバネ部材の平面図。
【図１２】本発明のスイッチ付回転型電気部品に係るバネ部材の側面図。
【図１３】本発明のスイッチ付回転型電気部品に係る駆動体の平面図。
【図１４】本発明のスイッチ付回転型電気部品に係る駆動体の側面図。
【図１５】本発明のスイッチ付回転型電気部品に係る駆動体の下面図。
【図１６】本発明のスイッチ付回転型電気部品に係る回転伝達部材の平面図。
【図１７】本発明のスイッチ付回転型電気部品に係る回転伝達部材の側面図。
【図１８】本発明のスイッチ付回転型電気部品に係る回転伝達部材の下面図。
【図１９】本発明のスイッチ付回転型電気部品に係る回転伝達部材の裏面図。
【図２０】図１６の２０−２０線における断面図。
【図２１】本発明のスイッチ付回転型電気部品に係る回転体の平面図。
【図２２】本発明のスイッチ付回転型電気部品に係る回転体の側面図。
【図２３】本発明のスイッチ付回転型電気部品に係る回転体の下面図。
【図２４】図２１の２４−２４線における断面図。
【図２５】本発明のスイッチ付回転型電気部品に係る絶縁基板の平面図。
【図２６】  本発明の操作軸の参考例を示す断面図。
【図２７】  本発明の操作軸の参考例と回転伝達部材との関係を示す説明図。
【図２８】従来のスイッチ付回転型電気部品の断面図。
【符号の説明】
１  支持部材
１ａ  基部
１ｂ  孔
１ｃ  筒状部
１ｄ  凸部
１ｅ  ストッパー部
１ｆ  挟持部
１ｇ  凸部
２  操作軸
２ａ  操作部
２ｂ  支持部
２ｃ  非円形部
２ｄ  平坦面
２ｅ  凸条
２ｆ  凹部
３  バネ部材
３ａ  孔
３ｂ  板部
３ｃ  掛け止め部
４  駆動体
４ａ  孔
４ｂ  板部
４ｃ  掛け止め部（支持部）
４ｄ  押さえ部
４ｅ  突部
５  回転伝達部材
５ａ  基部
５ｂ  平坦面
５ｃ  非円形孔
５ｄ  ストッパー部
５ｅ  係合部
６  ワッシャー
７  筺体
７ａ  孔
７ｂ  底壁
７ｃ  側壁
７ｄ  受け部
８  接触片
９  回転体
９ａ  貫通孔
９ｂ  板部
９ｃ  凹凸部
９ｄ  係合部
９ｅ  へこみ部
９ｆ  凸部
１０  絶縁基板
１０ａ  円形孔
１０ｂ  凹部
１１  抵抗体
１２  導電体
１３  固定接点
１４  固定接点
１５  絶縁基体
１６  可動接点
１７  押圧部材
１８  取付板
Ｚ  中心
Ｙ  線
Ｘ  回転伝達面
Ｗ  軸方向
Ｓ  スイッチ
Ｋ  クリック機構
Ｄ  回転型電気部品
【図１】
0003802301.tif 000002
【図２】
0003802301.tif 000003
【図３】
0003802301.tif 000004
【図４】
0003802301.tif 000005
【図５】
0003802301.tif 000006
【図６】
0003802301.tif 000007
【図７】
0003802301.tif 000008
【図８】
0003802301.tif 000009
【図９】
0003802301.tif 000010
【図１０】
0003802301.tif 000011
【図１１】
0003802301.tif 000012
【図１２】
0003802301.tif 000013
【図１３】
0003802301.tif 000014
【図１４】
0003802301.tif 000015
【図１５】
0003802301.tif 000016
【図１６】
0003802301.tif 000017
【図１７】
0003802301.tif 000018
【図１８】
0003802301.tif 000019
【図１９】
0003802301.tif 000020
【図２０】
0003802301.tif 000021
【図２１】
0003802301.tif 000022
【図２２】
0003802301.tif 000023
【図２３】
0003802301.tif 000024
【図２４】
0003802301.tif 000025
【図２５】
0003802301.tif 000026
【図２６】
0003802301.tif 000027
【図２７】
0003802301.tif 000028
【図２８】
0003802301.tif 000029